(57)【要約】  【課題】  所定の引張力に耐えることができ、作業性に優れ、且つ製造コストも安価なＦＴＴＨ端末引留具を提供する。  【解決手段】  一本の鋼線を折曲加工してなるＦＴＴＨ端末引留具１０において、この引止具１０は一方の端部に掛け部１１を有し、他方の端部近傍に巻付け部１２を有し、両端部間の中間部１３は直線状に形成されたものであって、前記巻付け部１２はメッセンジャーワイヤが巻き付けられる位置に形成された幅狭の開口部１２ａから上下方向に向けて幅広の入り江状の凸部１２ｂが形成されている。  【選択図】図１
2006288189.tif 000002
【特許請求の範囲】
【請求項１】
一本の鋼線を折曲加工してなるＦＴＴＨ端末引留具において、該引止具は一方の端部に掛け部を有し、他方の端部近傍に巻付け部を有し、両端部間の中間部は直線状に形成されたものであって、前記巻付け部はメッセンジャーワイヤが巻き付けられる位置に形成された幅狭の開口部から上下方向に向けて幅広の入り江状の凸部が形成されていることを特徴とするＦＴＴＨ端末引留具。
【請求項２】
一本の鋼線を折曲加工してなるＦＴＴＨ端末引留具において、該引止具は一方の端部に掛け部を有し、他方の端部近傍に巻付け部を有し、両端部間の中間部は直線状に形成されたものであって、前記巻付け部はメッセンジャーワイヤが巻き付けられる位置に形成された幅狭の開口部から上下方向に向けて幅広の入り江状の凸部が形成されており、前記開口部は中間部の直線方向に対して傾斜していることを特徴とするＦＴＴＨ端末引留具。
【請求項３】
一本の鋼線を折曲加工してなるＦＴＴＨ端末引留具において、該引留具は一方の端部に掛け部を有し、他方の端部近傍に当接部と、巻付け部とを有し、両端部間の中間部は直線状に形成されたものであって、前記巻付け部はメッセンジャーワイヤが巻き付けられる位置に形成された幅狭の開口部から上下方向に向けて幅広の入り江状の凸部が形成されており、前記開口部は前記中間部の直線方向に対して平行であり、前記当接部と、前記幅広の入り江状の凸部と、前記中間部の直線方向とは互いに垂直であって、前記開口部と前記中間部との間は平面視Ｓ字形の曲げ部を有していることを特徴とするＦＴＴＨ端末引留具。
【請求項４】
一本の鋼線を折曲加工してなるＦＴＴＨ端末引留具において、該引留具は一方の端部に掛け部を有し、他方の端部近傍に第一巻付け部と、第二巻付け部とを有し、両端部間の中間部は直線状に形成されたものであって、前記第二巻付け部はメッセンジャーワイヤが巻き付けられる位置に形成された幅狭の開口部から上下方向に向けて幅広の入り江状の凸部が形成されており、前記開口部は前記中間部の直線方向に対して平行であり、前記第一巻付け部及び前記幅広の入り江状の凸部と、前記中間部の直線方向とは互いに垂直であって、前記開口部と前記中間部との間は平面視Ｓ字形の曲げ部を有していることを特徴とするＦＴＴＨ端末引留具。
【請求項５】
一本の鋼線を折曲加工してなるＦＴＴＨ端末引留具において、該引留具は一方の端部に掛け部を有し、他方の端部近傍に第一巻付け部と、第二巻付け部とを有し、両端部間の中間部は直線状に形成されたものであって、前記第一巻付け部は側面方向から視た場合にコ字状となるように形成され、前記第二巻付け部はメッセンジャーワイヤが巻き付けられる位置に形成された幅狭の開口部から上下方向に向けて幅広の入り江状の凸部が形成されており、前記開口部は前記中間部の直線方向に対して平行であり、前記第一巻付け部の一部及び前記幅広の入り江状の凸部と、前記中間部の直線方向とは互いに垂直であることを特徴とするＦＴＴＨ端末引留具。
【発明の詳細な説明】
【技術分野】
【０００１】
本発明は、ＦＴＴＨケーブル（通信を行う合成樹脂被覆された光ファイバーケーブルと張線架設するため強度を負担し光ファイバーケーブルを吊り下げることを目的とする合成樹脂被覆された金属線のメッセンジャーワイヤとで構成されている。）の端末を家屋に引き込む際に使用するＦＴＴＨ端末引留具に関する。
【背景技術】
【０００２】
従来のＦＴＴＨ端末引留具は図１２に示すようなステンレス鋼の金属線で形成したものが知られている。このＦＴＴＨ端末引留具は出し入れ口及び支持部にメッセンジャーワイヤを交互にジグザグ状に挿入することによって掛け止めて支持することによってケーブルの引き込み作業を容易にしようとしたものである（特許文献１参照）。また、図１３に示すような掛け部を形成する金属線をインサートした合成樹脂成形品でメッセンジャーワイヤを端末部で引っ掛け、樹脂円形部と樹脂フック部に巻付けて支持しようとするものが知られている。
【特許文献１】特開２００３−３１９５４０号公報
【発明の開示】
【発明が解決しようとする課題】
【０００３】
しかしながら、上記方法による引留具の引張力試験を行ったところ、低張力（５００Ｎ以下）が限界であり、それ以上の荷重を加えた場合には引留具が伸びて外れるか、メッセンジャーワイヤがジグザグ状の支持部をすり抜けるかによって引留具の機能を果たさなくなっていた。このため、ユーザーの要求する高張力（７００Ｎ以上）の引張力に耐えることができる新たな引留具の開発を行う必要があった。
【０００４】
本発明は上記点に鑑み、１０００Ｎ以上の引張力に耐えることができ、作業性に優れ、且つ製造コストも安価なＦＴＴＨ端末引留具を提供することを目的とする。
【課題を解決するための手段】
【０００５】
請求項１の発明は、一本の鋼線を折曲加工してなるＦＴＴＨ端末引留具において、該引止具は一方の端部に掛け部を有し、他方の端部近傍に巻付け部を有し、両端部間の中間部は直線状に形成されたものであって、前記巻付け部はメッセンジャーワイヤが巻き付けられる位置に形成された幅狭の開口部から上下方向に向けて幅広の入り江状の凸部が形成されていることに特徴を有する。即ち、このＦＴＴＨ端末引留具は端部に形成された掛け部を所定位置に引っ掛け、幅狭の開口部にメッセンジャーワイヤを所定回数巻き付けて使用するものであり、上下方向に向けて幅広の入り江状の凸部が形成されていることから、幅狭の開口部に巻き付けられたメッセンジャーワイヤが上下方向にずれ抜けることもない。
【０００６】
請求項２の発明は、一本の鋼線を折曲加工してなるＦＴＴＨ端末引留具において、該引止具は一方の端部に掛け部を有し、他方の端部近傍に巻付け部を有し、両端部間の中間部は直線状に形成されたものであって、前記巻付け部はメッセンジャーワイヤが巻き付けられる位置に形成された幅狭の開口部から上下方向に向けて幅広の入り江状の凸部が形成されており、前記開口部は中間部の直線方向に対して傾斜していることに特徴を有する。即ち、このＦＴＴＨ端末引留具は端部に形成された掛け部を所定位置に引っ掛け、幅狭の開口部にメッセンジャーワイヤを所定回数巻き付けて使用するものであり、上下方向に向けて幅広の入り江状の凸部が形成されていることから、幅狭の開口部に巻き付けられたメッセンジャーワイヤが上下方向にずれ抜けることもない。さらに、開口部は中間部の直線方向に対して傾斜していることから、この引留具に巻き付けられたメッセンジャーワイヤに中間部の直線方向と平行な方向に引張力が作用した場合には、この引張力に対して反発するバネ性を有することになるので、引留具に対するメッセンジャーワイヤの巻き数が請求項１の発明と比較して少ない場合でも、所定の引張力に耐えることができる。
【０００７】
請求項３の発明は、一本の鋼線を折曲加工してなるＦＴＴＨ端末引留具において、該引留具は一方の端部に掛け部を有し、他方の端部近傍に当接部と、巻付け部とを有し、両端部間の中間部は直線状に形成されたものであって、前記巻付け部はメッセンジャーワイヤが巻き付けられる位置に形成された幅狭の開口部から上下方向に向けて幅広の入り江状の凸部が形成されており、前記開口部は前記中間部の直線方向に対して平行であり、前記当接部と、前記幅広の入り江状の凸部と、前記中間部の直線方向とは互いに垂直であって、前記開口部と前記中間部との間は平面視Ｓ字形の曲げ部を有していることに特徴を有する。
【０００８】
即ち、このＦＴＴＨ端末引留具は主に、ＦＴＴＨケーブルの中間分岐部に使用する場合のものであり、一方の端部に形成された掛け部を所定位置に引っ掛け、他方の端部近傍に形成された当接部にメッセンジャーワイヤの一部を当接し、幅狭の開口部にメッセンジャーワイヤを所定回数巻き付け、平面視Ｓ字形の曲げ部の一部にメッセンジャーワイヤを引っ掛けて使用するものである。当接部と幅広の入り江状の凸部とが垂直であることによってメッセンジャーワイヤの巻付けが容易になると共に、メッセンジャーワイヤの当接部への接触が線接触となることから、メッセンジャーワイヤの破断強度の低下を防ぐこととなる。また、平面視Ｓ字形の曲げ部が形成されていることによって、メッセンジャーワイヤの張力が増加すると、この曲げ部が伸びることとなり、緩衝効果を奏するものである。
【０００９】
請求項４の発明は、一本の鋼線を折曲加工してなるＦＴＴＨ端末引留具において、該引留具は一方の端部に掛け部を有し、他方の端部近傍に第一巻付け部と、第二巻付け部とを有し、両端部間の中間部は直線状に形成されたものであって、前記第二巻付け部はメッセンジャーワイヤが巻き付けられる位置に形成された幅狭の開口部から上下方向に向けて幅広の入り江状の凸部が形成されており、前記開口部は前記中間部の直線方向に対して平行であり、前記第一巻付け部及び前記幅広の入り江状の凸部と、前記中間部の直線方向とは互いに垂直であって、前記開口部と前記中間部との間は平面視Ｓ字形の曲げ部を有していることに特徴を有する。
【００１０】
即ち、このＦＴＴＨ端末引留具も請求項３の発明と同様、主に、ＦＴＴＨケーブルの中間分岐部に使用する場合のものであり、一方の端部に形成された掛け部を所定位置に引っ掛け、他方の端部近傍に形成された第一巻き付け部と第二巻付け部とに交互にメッセンジャーワイヤを所定回数巻き付け、平面視Ｓ字形の曲げ部の一部にメッセンジャーワイヤを引っ掛けて使用するものである。第一巻付け部と幅広の入り江状の凸部とが平行であることによってメッセンジャーワイヤの交互の巻付けが容易になる。また、平面視Ｓ字形の曲げ部が形成されていることによって、メッセンジャーワイヤの張力が増加すると、この曲げ部が伸びることとなり、緩衝効果を奏するものである。
【００１１】
請求項５の発明は、一本の鋼線を折曲加工してなるＦＴＴＨ端末引留具において、該引留具は一方の端部に掛け部を有し、他方の端部近傍に第一巻付け部と、第二巻付け部とを有し、両端部間の中間部は直線状に形成されたものであって、前記第一巻付け部は側面方向から視た場合にコ字状となるように形成され、前記第二巻付け部はメッセンジャーワイヤが巻き付けられる位置に形成された幅狭の開口部から上下方向に向けて幅広の入り江状の凸部が形成されており、前記開口部は前記中間部の直線方向に対して平行であり、前記第一巻付け部の一部及び前記幅広の入り江状の凸部と、前記中間部の直線方向とは互いに垂直であることに特徴を有する。
【００１２】
即ち、このＦＴＴＨ端末引留具は主に、ＦＴＴＨケーブルの中間分岐部に使用する場合のものであり、一方の端部に形成された掛け部を所定位置に引っ掛け、他方の端部近傍に形成された第二巻付け部にメッセンジャーワイヤを所定回数一定方向に巻き付けた後、逆方向に第一巻付け部及び第二巻付け部に所定回数巻付けて使用するものである。第一巻付け部が側面方向から視た場合にコ字状となるように形成されていることによって巻付けたメッセンジャーワイヤの抜けが防止されるものである。
【発明の効果】
【００１３】
請求項１の発明は、一本の鋼線を折曲加工してなるＦＴＴＨ端末引留具において、該引止具は一方の端部に掛け部を有し、他方の端部近傍に巻付け部を有し、両端部間の中間部は直線状に形成されたものであって、前記巻付け部はメッセンジャーワイヤが巻き付けられる位置に形成された幅狭の開口部から上下方向に向けて幅広の入り江状の凸部が形成されていることに特徴を有するので、一本の鋼線を折曲加工して製作されるものであるから、従来のプラスチック成形品と比較して安価に製造することができる。また、端末の掛け部を所定位置に引っ掛け、開口部にメッセンジャーワイヤを巻き付けるだけの作業で済むため作業性に優れている。さらに、幅狭の開口部から上下方向に向けて幅広の入り江状の凸部が形成されていることから、開口部に巻き付けられたメッセンジャーワイヤが上下方向にずれ抜けるのを防止することができる。
【００１４】
請求項２の発明は、一本の鋼線を折曲加工してなるＦＴＴＨ端末引留具において、該引止具は一方の端部に掛け部を有し、他方の端部近傍に巻付け部を有し、両端部間の中間部は直線状に形成されたものであって、前記巻付け部はメッセンジャーワイヤが巻き付けられる位置に形成された幅狭の開口部から上下方向に向けて幅広の入り江状の凸部が形成されており、前記開口部は中間部の直線方向に対して傾斜していることに特徴を有するので、請求項１の発明と同様の効果を奏することができるものであることに加えて、開口部が中間部の直線方向に対して傾斜させた構成によって、開口部に巻き付けられたメッセンジャーワイヤに引張力が作用した場合に、その引張力に対して反発するバネ性を有することになるため、２回の巻き数で１０００Ｎ以上の引張力に耐えることができ、作業性を一段と向上させることができる。
【００１５】
請求項３の発明は、一本の鋼線を折曲加工してなるＦＴＴＨ端末引留具において、該引留具は一方の端部に掛け部を有し、他方の端部近傍に当接部と、巻付け部とを有し、両端部間の中間部は直線状に形成されたものであって、前記巻付け部はメッセンジャーワイヤが巻き付けられる位置に形成された幅狭の開口部から上下方向に向けて幅広の入り江状の凸部が形成されており、前記開口部は前記中間部の直線方向に対して平行であり、前記当接部と、前記幅広の入り江状の凸部と、前記中間部の直線方向とは互いに垂直であって、前記開口部と前記中間部との間は平面視Ｓ字形の曲げ部を有していることに特徴を有するので、２回の巻き数で１５００Ｎ以上の引張力に耐えることができ、作業性を一段と向上させることができる。
【００１６】
請求項４の発明は、一本の鋼線を折曲加工してなるＦＴＴＨ端末引留具において、該引留具は一方の端部に掛け部を有し、他方の端部近傍に第一巻付け部と、第二巻付け部とを有し、両端部間の中間部は直線状に形成されたものであって、前記第二巻付け部はメッセンジャーワイヤが巻き付けられる位置に形成された幅狭の開口部から上下方向に向けて幅広の入り江状の凸部が形成されており、前記開口部は前記中間部の直線方向に対して平行であり、前記第一巻付け部及び前記幅広の入り江状の凸部と、前記中間部の直線方向とは互いに垂直であって、前記開口部と前記中間部との間は平面視Ｓ字形の曲げ部を有していることに特徴を有するので、２回の巻き数で１５００Ｎ以上の引張力に耐えることができ、作業性を一段と向上させることができる。
【００１７】
請求項５の発明は、一本の鋼線を折曲加工してなるＦＴＴＨ端末引留具において、該引留具は一方の端部に掛け部を有し、他方の端部近傍に第一巻付け部と、第二巻付け部とを有し、両端部間の中間部は直線状に形成されたものであって、前記第一巻付け部は側面方向から視た場合にコ字状となるように形成され、前記第二巻付け部はメッセンジャーワイヤが巻き付けられる位置に形成された幅狭の開口部から上下方向に向けて幅広の入り江状の凸部が形成されており、前記開口部は前記中間部の直線方向に対して平行であり、前記第一巻付け部の一部及び前記幅広の入り江状の凸部と、前記中間部の直線方向とは互いに垂直であることに特徴を有するので、２回の巻き数で１５００Ｎ以上の引張力に耐えることができ、作業性を一段と向上させることができる。
【発明を実施するための最良の形態】
【００１８】
次に本発明の実施形態を図面に基づいて説明する。図１は本発明に係るＦＴＴＨ端末引留具の第１の実施形態を示す図であり、図１（イ）は正面図、（ロ）は平面図である。この図に示すようにＦＴＴＨ端末引留具１０は一本の鋼線を折曲加工して製造されるものである。このＦＴＴＨ端末引留具１０は一方の端部に掛け部１１を有するものである。また、他方の端部近傍には巻付け部１２を有している。そして、両端部間の中間部１３は直線状に形成されており、巻付け部１２はメッセンジャーワイヤが巻き付けられる位置に形成された幅狭の開口部１２ａから上下方向に向けて幅広の入り江状の凸部１２ｂが形成されている。
【００１９】
図２は第１の実施形態のＦＴＴＨ端末引留具にメッセンジャーワイヤを巻き付ける手順を示す図である。先ず（１）に示すように巻付け部１２の右側にある孔Ａにメッセンジャーワイヤを通す。次に（２）に示すように巻付け部１２の左側にある孔Ｃにメッセンジャーワイヤを通し、巻付け部１２に巻き付けるように折り返す。次に（３）に示すように孔Ａにメッセンジャーワイヤを通し、巻付け部１２に巻き付けるようにして、孔Ｃにメッセンジャーワイヤを通す。そして、（４）に示すように再び巻付け部１２に巻き付けるようにして折り返し、孔Ａに通し、（５）に示すように巻付け部１２に巻き付けるようにして孔Ｃに通す。以上の作業によって、メッセンジャーワイヤを巻付け部１２に２回巻付ける作業が完了する。これを下方からみた図が（６）である。
【００２０】
尚、上述した巻付け方法によって、引張力試験を行った結果、最大荷重１２００Ｎまでメッセンジャーワイヤが破断せずに耐え得ることが確認されている。
【００２１】
図３は本発明に係るＦＴＴＨ端末引留具の第２の実施形態を示す図であり、図２（イ）は正面図、（ロ）は平面図である。この図に示すようにＦＴＴＨ端末引留具２０は一本の鋼線を折曲加工して製造されるものであることは第１の実施形態と同様である。このＦＴＴＨ端末引留具２０は、一方の端部に掛け部２１を有するものである。また、他方の端部近傍に巻付け部２２を有している。そして、両端部間の中間部２３は直線状に形成されており、巻付け部２２はメッセンジャーワイヤが巻き付けられる位置に形成された幅狭の開口部２２ａから上下方向に向けて幅広の入り江状の凸部２２ｂが形成されている。さらに、開口部２２ａは中間部２３の直線方向に対して３０°程度傾斜している。尚、この傾斜角は３０°に限定されるものではなく、巻付け部に巻き付けられたメッセンジャーワイヤに引張力が加えられた時に、この引張力に反発することができるバネ性の効果を奏する角度であればよいものであるが、後述するような作業を考慮した場合には３０°以上傾斜しているのが好ましい。
【００２２】
図４は第２の実施形態のＦＴＴＨ端末引留具にメッセンジャーワイヤを巻き付ける手順を示す図である。先ず、上述したとおり、中間部２３の直線方向に対して３０°の傾斜位置に曲げ部Ｂがあるので、（１）に示すように曲げ部Ａから曲げ部Ｂ間にメッセンジャーワイヤを曲げることなく通すことができる。次に（２）に示すように曲げ部Ａでメッセンジャーワイヤを折り返す。さらに、（３）に示すようにメッセンジャーワイヤを曲げ部Ｂに通し、（４）に示すように曲げ部Ｂで折り返すと作業が完了するのである。このＦＴＴＨ端末引留具への巻付け作業は慣れた作業者が行えば、通常５秒以内で行うことができるものである。
【００２３】
尚、上述した巻付け方法によって、引張力試験を行った結果、１０００Ｎ以上までメッセンジャーワイヤが抜けたり破断したりせずに耐え得ることが確認されている。
【００２４】
図５は本発明に係るＦＴＴＨ端末引留具の第３の実施形態を示す図であり、図５（イ）は正面図、（ロ）は平面図である。この図に示すようにＦＴＴＨ端末引留具３０は一本の鋼線を折曲加工して製造されるものであることは第１及び第２の実施形態と同様である。このＦＴＴＨ端末引留具３０は一方の端部に掛け部３１を有するものである。
【００２５】
また、他方の端部近傍に巻付け部３２と当接部３３とを有している。そして、両端部間の中間部３４は直線状に形成されており、巻付け部３２はメッセンジャーワイヤが巻き付けられる位置に形成された幅狭の開口部３２ａから上下方向に向けて幅広の入り江状の凸部３２ｂが形成されている。ここで、開口部３２ａは中間部３４の直線方向に対して平行であり、当接部３３と、幅広の入り江状の凸部３２ｂと、中間部３４の直線方向とは互いに垂直となるように形成されている。さらに、開口部３２ａと中間部３４との間は平面方向から視た場合にＳ字形となる曲げ部３５が形成されている。
【００２６】
そして、強風や着雪によって取付けられたメッセンジャーワイヤの張力が増加した場合には、曲げ部３５が伸びることとなり、メッセンジャーワイヤの張力を減少させる緩衝効果を奏させるものである。尚、メッセンジャーワイヤの張力が増加した場合には、開口部３２ａの隙間が狭くなって緩衝効果を生じさせるものであるが、上記曲げ部３５は、これにプラスした緩衝効果を生じさせるのである。
【００２７】
図６は第３の実施形態のＦＴＴＨ端末引留具にメッセンジャーワイヤを巻き付ける手順を示す図である。先ず、（１）に示すように、当接部３３にメッセンジャーワイヤを当接した後、巻付け部３２の後側に通す。次に、（２）、（３）に示すように、開口部３２ａ付近に巻き付けるようにして、巻付け部３２の前側に折り返した後、後側に折り返す。そして、（４）、（５）に示すように、（２）と（３）と同様の作業を繰り返すことによって２回巻き付けた状態とする。最後に、メッセンジャーワイヤをＳ字形の曲げ部３５に通して作業は完了するのである。上述した巻付け方法によって、引張力試験を行った結果、１６００Ｎ以上までメッセンジャーワイヤが抜けたり破断したりせずに耐え得ることが確認されている。
【００２８】
図７は本発明に係るＦＴＴＨ端末引留具の第４の実施形態を示す図であり、図７（イ）は正面図、（ロ）は平面図である。この図に示すようにＦＴＴＨ端末引留具４０は一本の鋼線を折曲加工して製造されるものであることは第１乃至第３の実施形態と同様である。このＦＴＴＨ端末引留具４０は一方の端部に掛け部４１を有するものである。
【００２９】
また、他方の端部近傍に第一巻付け部４２と第二巻付け部４３とを有している。そして、両端部間の中間部４４は直線状に形成されており、第二巻付け部４３はメッセンジャーワイヤが巻き付けられる位置に形成された幅狭の開口部４３ａから上下方向に向けて幅広の入り江状の凸部４３ｂが形成されている。ここで、開口部４３ａは中間部４４の直線方向に対して平行であり、第一巻付け部４２及び幅広の入り江状の凸部４３ｂと、中間部４４の直線方向とは互いに垂直となるように形成されている。さらに、開口部４３ａと中間部４４との間は平面方向から視た場合にＳ字形となる曲げ部４５が形成されている。
【００３０】
そして、強風や着雪によって取付けられたメッセンジャーワイヤの張力が増加した場合には、曲げ部４５が伸びることとなり、メッセンジャーワイヤの張力を減少させる緩衝効果を奏させるものである。尚、メッセンジャーワイヤの張力が増加した場合には、開口部４３ａの隙間が狭くなって緩衝効果を生じさせるものであるが、上記曲げ部４５は、これにプラスした緩衝効果を生じさせるのである。
【００３１】
図８は第４の実施形態のＦＴＴＨ端末引留具にメッセンジャーワイヤを巻き付ける手順を示す図である。先ず、（１）に示すように、第一巻付け部４２と第二巻付け部４３との間にメッセンジャーワイヤを通す。次に、（２）に示すように、第二巻付け部４３の開口部４３ａ付近に巻き付けた後、第一巻付け部４２に巻き付ける。さらに、（３）及び（４）に示すように、第二巻付け部４３にもう一度巻き付けた後、メッセンジャーワイヤをＳ字形の曲げ部４５に通して作業は完了するのである。（５）は巻付作業が完了した状態を示す図であり、この方法でＦＴＴＨ端末引留具にメッセンジャーワイヤを巻き付けた場合には光ファイバーケーブルにねじれが発生していないことがわかる。上述した巻付け方法によって、引張力試験を行った結果、１６００Ｎ以上までメッセンジャーワイヤが抜けたり破断したりせずに耐え得ることが確認されている。
【００３２】
図９は第４の実施形態のＦＴＴＨ端末引留具にメッセンジャーワイヤを巻き付ける手順の他例を示す図である。先ず、（１）に示すように、第一巻付け部４２と第二巻付け部４３との間にメッセンジャーワイヤを通す。次に、（２）に示すように、第二巻付け部４３の開口部４３ａ付近に一回巻き付ける。最後に、（３）に示すように、メッセンジャーワイヤをＳ字形の曲げ部４５に通して作業は完了するのである。この巻き付け方法は、図８で説明した方法よりも簡易な方法であり、高い引張力が要求されない場合には、この巻付け方法で対応することができる。上述した巻付け方法によって、引張力試験を行った結果、８００Ｎ以上までメッセンジャーワイヤが抜けたり破断したりせずに耐え得ることが確認されている。
【００３３】
図１０は本発明に係るＦＴＴＨ端末引留具の第５の実施形態を示す図であり、図１０（イ）は正面図、（ロ）は平面図である。この図に示すようにＦＴＴＨ端末引留具５０は一本の鋼線を折曲加工して製造されるものであることは第１乃至第４の実施形態と同様である。このＦＴＴＨ端末引留具５０は一方の端部に掛け部５１を有するものである。
【００３４】
また、他方の端部近傍に側面方向から視た場合にコ字状に形成された第一巻付け部５２と第二巻付け部５３とを有している。そして、両端部間の中間部５４は直線状に形成されており、第二巻付け部５３はメッセンジャーワイヤが巻き付けられる位置に形成された幅狭の開口部５３ａから上下方向に向けて幅広の入り江状の凸部５３ｂが形成されている。ここで、開口部５３ａは中間部５４の直線方向に対して平行であり、第一巻付け部５２の一部５２ａ及び幅広の入り江状の凸部５３ｂと、中間部５４の直線方向とは互いに垂直となるように形成されている。
【００３５】
そして、強風や着雪によって取付けられたメッセンジャーワイヤの張力が増加した場合には、開口部５３ａの隙間が狭くなって緩衝効果を生じさせるものである。
【００３６】
図１１は第５の実施形態のＦＴＴＨ端末引留具にメッセンジャーワイヤを巻き付ける手順を示す図である。先ず、（１）に示すように、第一巻付け部５２と第二巻付け部５３との間にメッセンジャーワイヤを通す。次に、（２）に示すように、第二巻付け部５３の開口部５３ａ付近に２回巻き付けた後、（３）に示すように、これとは逆方向に第一巻付け部５２に１回巻き付ける。さらに、（４）に示すように、第二巻付け部５３に、第一巻付け部５２に巻き付けた方向と同じ方向に1回巻き付けて作業は完了するのである。（５）は巻付作業が完了した状態を示す図であり、この方法でＦＴＴＨ端末引留具にメッセンジャーワイヤを巻き付けた場合には光ファイバーケーブルにねじれが発生していないことがわかる。上述した巻付け方法によって、引張力試験を行った結果、１６００Ｎ以上までメッセンジャーワイヤが抜けたり破断したりせずに耐え得ることが確認されている。尚、巻き付け回数は、上述した回数に限定されるものではなく、第一巻付け部５２に複数回巻き付けた後、第二巻付け部５３及び第一巻付け部５２を利用して逆方向に同数回巻き付けることによって、光ファイバーケーブルにねじれが発生することがないのである。
【００３７】
尚、本発明の趣旨を逸脱しない範囲において、種々の実施形態をとることができることは言うまでもない。
【図面の簡単な説明】
【００３８】
【図１】本発明に係るＦＴＴＨ端末引留具の第１の実施形態を示す図である。
【図２】第１の実施形態にメッセンジャーワイヤを巻き付ける手順を示す図である。
【図３】本発明に係るＦＴＴＨ端末引留具の第２の実施形態を示す図である。
【図４】第２の実施形態にメッセンジャーワイヤを巻き付ける手順を示す図である。
【図５】本発明に係るＦＴＴＨ端末引止具の第３の実施形態を示す図である。
【図６】第３の実施形態にメッセンジャーワイヤを巻き付ける手順を示す図である。
【図７】本発明に係るＦＴＴＨ端末引止具の第４の実施形態を示す図である。
【図８】第４の実施形態にメッセンジャーワイヤを巻き付ける手順を示す図である。
【図９】第４の実施形態にメッセンジャーワイヤを巻き付ける手順の他例を示す図である。
【図１０】本発明に係るＦＴＴＨ端末引止具の第５の実施形態を示す図である。
【図１１】第５の実施形態にメッセンジャーワイヤを巻き付ける手順を示す図である。
【図１２】従来のＦＴＴＨ端末引留具を示す図である。
【図１３】従来のＦＴＴＨ端末引止具を示す図である。
【符号の説明】
【００３９】
１０，２０，３０，４０，５０  ＦＴＴＨ端末引留具
１１，２１，３１，４１，５１  掛け部
１２，２２，３２  巻付け部
１３，２３，３４，４４，５４  中間部
【図１】
2006288189.tif 000003
【図２】
2006288189.tif 000004
【図３】
2006288189.tif 000005
【図４】
2006288189.tif 000006
【図５】
2006288189.tif 000007
【図６】
2006288189.tif 000008
【図７】
2006288189.tif 000009
【図８】
2006288189.tif 000010
【図９】
2006288189.tif 000011
【図１０】
2006288189.tif 000012
【図１１】
2006288189.tif 000013
【図１２】
2006288189.tif 000014
【図１３】
2006288189.tif 000015